(57)【要約】【課題】外部装置をAV機器のHDMIポートに接続した状態で、該HDMIポートから出力される電源電圧で外部装置のバッテリを充電することができる安価なHDMIケーブルを提供する。【解決手段】入力コネクタ１００のピン配列は、テレビ受像機２で生成される＋５の電源電圧をHDMIポート２００から入力するための電源電圧ピン１１８と、グランドレベルのグランドピン１１７との２つのピンだけで構成されている。そのため、ユーザが入力コネクタ１００をHDMIポート２００に接続し、出力コネクタ３００を携帯電話３の差込口３Aに接続した場合、電源電圧ピン１１８とグランドピン１１７とで+５Vの電源電圧が出力コネクタ３００から携帯電話３に入力する。よって、ユーザは、携帯電話３をテレビ受像機２のHDMIポート２００に接続した状態で該HDMIポート２００から出力される電源電圧で携帯電話３のバッテリを充電できる。【選択図】  図４
2010287473.tif 000002
【特許請求の範囲】
【請求項１】
AV機器に設けられたHDMIポートに接続される入力コネクタを備えたHDMIケーブルにおいて、
前記入力コネクタのピン配列は、前記AV機器で生成される電源電圧を前記HDMIポートから入力するための第一の電源電圧ピンと、グランドレベルの第一のグランドピンと、の２つのピンだけで構成されており、
前記第一の電源電圧ピンと前記第一のグランドピンで前記電源電圧を出力する出力コネクタを備えることを特徴とするHDMIケーブル。
【請求項２】
前記入力コネクタは、前記HDMIポートに接続される前記入力コネクタの先端の外周形状が線対称となる中心線を軸として、前記第一の電源電圧ピンと線対称の位置に第一の突出部材と、前記第一のグランドピンと線対称の位置に第二の突出部材と、を有することを特徴とする請求項１に記載のHDMIケーブル。
【請求項３】
AV機器に設けられたHDMIポートに接続される入力コネクタを備えたHDMIケーブルにおいて、
前記入力コネクタのピン配列は、
前記AV機器で生成される電源電圧を前記HDMIポートから入力するための第一の電源電圧ピンと、
グランドレベルの第一のグランドピンと、
前記HDMIポートに接続される前記入力コネクタの先端の外周形状の中心を中心点として、前記第一の電源電圧ピンと点対称の位置に設けられた第二の電源電圧ピンと、
前記中心点を中心として、前記第一のグランドピンと点対称の位置に設けられた第二のグランドピンと、
の４つのピンだけで構成されており、
前記入力コネクタの表裏を反転させて前記HDMIポートに接続した状態で、前記第二の電源電圧ピンから入力する前記電源電圧を所定の電圧に変圧する電圧変換回路を備え、
前記第一の電源電圧ピンと前記第一のグランドピンで前記電源電圧を出力し、前記第二の電源電圧ピンと前記第二のグランドピンで前記所定の電圧を出力する出力コネクタを備えることを特徴とするHDMIケーブル。
【発明の詳細な説明】
【技術分野】
【０００１】
本発明は、AV機器に設けられたHDMIポートに接続されるHDMIケーブルに関するものである。
【背景技術】
【０００２】
近年、AV機器を相互に接続するためのインタフェースの規格として、HDMI（High Definition Multimedia Interface）規格が提案されている。そして、HDMI規格に準拠したインタフェースを有する製品が広く一般に流通している。HDMI規格とは、パーソナルコンピュータとディスプレイとの接続の標準規格であるＤＶＩ（Digital Video Interface）をベースとして、家電製品に対応するための機能をＤＶＩに追加したものである。
【０００３】
HDMI規格では、例えば、光ディスク再生装置とテレビ受像機とがHDMIケーブルで接続される。そして、光ディスク再生装置によって光ディスクから読み取られた映像音声信号がHDMIケーブルを介してテレビ受像機に入力し、テレビ受像機が該映像音声信号を処理して映像を表示するとともに音声を放音している。これにより、ユーザは、光ディスクに記録されているコンテンツをテレビ受像機で視聴している。
【０００４】
一方、近年、携帯電話を使用することが日常的に行われるようになってきた。近年の携帯電話では、通話機能だけでなく、優れたメモリ機能や表示機能も搭載している。具体的には、電話番号だけでなく、その電話番号に関連した住所や名前、着信メロディなどのデータをメモリに記録し、それらのデータを表示又は再生することができるようになっている。これらの機能は、携帯電話に内蔵されたバッテリから電源電圧の供給を受けることにより、達成される。
なお、特許文献１では、映像出力装置が提案されている。
【先行技術文献】
【特許文献】
【０００５】
【特許文献１】特開２００７−２７４０６５公報
【発明の概要】
【発明が解決しようとする課題】
【０００６】
しかしながら、携帯電話などの充電を必要とする外部装置の場合、実際に使用する時にバッテリが切れていたり、使用中にバッテリが切れたりする場合が多い。この場合、ユーザは外部装置を専用の充電器で商用電源から充電するのが一般的であるが、十分な電源回路を持つAV機器から外部装置を充電したいという業界の要請があった。
【０００７】
本発明はこのような従来の課題を解決しようとするものであり、外部装置をAV機器のHDMIポートに接続した状態で、AV機器のHDMIポートから出力される電源電圧で外部装置のバッテリを充電することができる安価なHDMIケーブルを提供することを目的とする。
【課題を解決するための手段】
【０００８】
本発明のHDMIケーブルは、前記課題を解決するために以下の構成を備えている。
【０００９】
（１）AV機器に設けられたHDMIポートに接続される入力コネクタを備えたHDMIケーブルにおいて、
前記入力コネクタのピン配列は、前記AV機器で生成される電源電圧を前記HDMIポートから入力するための第一の電源電圧ピンと、グランドレベルの第一のグランドピンと、の２つのピンだけで構成されており、
前記第一の電源電圧ピンと前記第一のグランドピンで前記電源電圧を出力する出力コネクタを備えることを特徴とする。
【００１０】
この構成において、AV機器は、例えばテレビ受像機、光ディスク再生装置である。そして、HDMIケーブルを介してAV機器と接続する外部装置は、例えば携帯電話、携帯型ゲーム機、撮像装置である。
上記入力コネクタのピン配列は、AV機器で生成される電源電圧をHDMIポートから入力するための第一の電源電圧ピンと、グランドレベルの第一のグランドピンと、の２つのピンだけで構成されている。そのため、ユーザが入力コネクタをHDMIポートに接続し、出力コネクタを外部装置に接続した場合、第一の電源電圧ピンと第一のグランドピンとで電源電圧が出力コネクタから外部装置に入力する。
よって、ユーザは、上記HDMIケーブルを介して外部装置をAV機器のHDMIポートに接続した状態で、AV機器のHDMIポートから出力される電源電圧で外部装置のバッテリを充電することができる。さらに、この構成における入力コネクタは、充電に必要なピンしか設けておらず、ピン数を必要最小限にしている。従って、HDMIケーブルの製造コストを低くすることができる。
【００１１】
（２）前記入力コネクタは、前記HDMIポートに接続される前記入力コネクタの先端の外周形状が線対称となる中心線を軸として、前記第一の電源電圧ピンと線対称の位置に第一の突出部材と、前記第一のグランドピンと線対称の位置に第二の突出部材と、を有することを特徴とする。
【００１２】
この構成では、入力コネクタをHDMIポートに接続した場合、第一の電源電圧ピン又は第一のグランドピンに加わる力と、第一の突出部材又は第二の突出部材に加わる力とが均等になる。
従って、入力コネクタをHDMIポートに接続した時の接続部分の固定が安定する。
【００１３】
（３）AV機器に設けられたHDMIポートに接続される入力コネクタを備えたHDMIケーブルにおいて、
前記入力コネクタのピン配列は、
前記AV機器で生成される電源電圧を前記HDMIポートから入力するための第一の電源電圧ピンと、
グランドレベルの第一のグランドピンと、
前記HDMIポートに接続される前記入力コネクタの先端の外周形状の中心を中心点として、前記第一の電源電圧ピンと点対称の位置に設けられた第二の電源電圧ピンと、
前記中心点を中心として、前記第一のグランドピンと点対称の位置に設けられた第二のグランドピンと、
の４つのピンだけで構成されており、
前記入力コネクタの表裏を反転させて前記HDMIポートに接続した状態で、前記第二の電源電圧ピンから入力する前記電源電圧を所定の電圧に変圧する電圧変換回路を備え、
前記第一の電源電圧ピンと前記第一のグランドピンで前記電源電圧を出力し、前記第二の電源電圧ピンと前記第二のグランドピンで前記所定の電圧を出力する出力コネクタを備えることを特徴とする。
【００１４】
この構成において、AV機器は、例えばテレビ受像機、光ディスク再生装置である。そして、HDMIケーブルを介してAV機器と接続する外部装置は、例えば携帯電話、携帯型ゲーム機、撮像装置である。
上記入力コネクタのピン配列は、AV機器で生成される電源電圧をHDMIポートから入力するための第一の電源電圧ピンと、グランドレベルの第一のグランドピンと、中心点を中心として、第一の電源電圧ピンと点対称の位置に設けられた第二の電源電圧ピンと、中心点を中心として、第一のグランドピンと点対称の位置に設けられた第二のグランドピンと、の４つのピンだけで構成されている。
この構成において、ユーザが入力コネクタをHDMIポートに接続し、出力コネクタを外部装置の充電用差込口に接続した場合、第一の電源電圧ピンと第一のグランドピンとで電源電圧が出力コネクタから外部装置に入力する。
一方、ユーザが入力コネクタを表裏逆さにしてHDMIポートに接続し、出力コネクタを外部装置の充電用差込口に接続した場合、第二の電源電圧ピンと第二のグランドピンとで上記所定の電源電圧が出力コネクタから外部装置に入力する。
よって、ユーザは、外部装置をAV機器のHDMIポートに接続した状態で、AV機器のHDMIポートから出力される電源電圧または所定の電源電圧で外部装置のバッテリを充電することができる。さらに、この構成における入力コネクタは、充電に必要なピンしか設けておらず、ピン数を必要最小限にしている。従って、HDMIケーブルの製造コストを低くすることができる。
【発明の効果】
【００１５】
この発明によれば、ユーザは、外部装置をAV機器のHDMIポートに接続した状態で、AV機器のHDMIポートから出力される電源電圧で外部装置のバッテリを充電することができる。さらに、HDMIケーブルの製造コストを低くすることができる。
【図面の簡単な説明】
【００１６】
【図１】本発明の実施形態であるHDMIケーブルと該HDMIケーブルで互いに接続されるテレビ受像機および携帯電話とを示す外観図
【図２】上記テレビ受像機の背面に設けられたHDMIポートの拡大図
【図３】HDMI規格で定められたピンアサインを示す図
【図４】本発明の実施形態であるHDMIケーブルの入力コネクタの拡大図
【図５】本発明の他の実施形態であるHDMIケーブルと接続するテレビ受像機のHDMIポートの拡大図
【図６】本発明の他の実施形態であるHDMIケーブルの入力コネクタの拡大図
【発明を実施するための形態】
【００１７】
以下、本発明の実施形態であるHDMIケーブルについて説明する。
【００１８】
図１は、本発明の実施形態であるHDMIケーブルと該HDMIケーブルで互いに接続されるテレビ受像機および携帯電話とを示す外観図である。HDMIケーブル１は、入力コネクタ１００と、出力コネクタ３００と、入力コネクタ１００及び出力コネクタ３００を結線するケーブル５００と、を備える。テレビ受像機２および携帯電話３は、HDMIケーブル１を介して互いに接続される。フラット型のテレビ受像機２は、例えば液晶テレビ又はプラズマテレビであり、その背面キャビネットにHDMIポート２００が設けられている。携帯電話３は、充電式のバッテリを内蔵し、通話機能だけでなくメモリ機能や表示機能を有する。
【００１９】
入力コネクタ１００は、テレビ受像機２の背面キャビネットに設けられたHDMIポート２００に接続されるコネクタである。出力コネクタ３００は、携帯電話３の充電用差込口３Aに接続されるコネクタである。
【００２０】
この実施形態においてユーザは、携帯電話３のバッテリを充電したい場合、入力コネクタ１００をHDMIポート２００に接続し、出力コネクタ３００を携帯電話３の充電用差込口３Aに接続する。
【００２１】
図２は、上記テレビ受像機の背面に設けられたHDMIポートの拡大図である。図３は、HDMI規格で定められたピンアサインを示す図である。HDMIポート２００には、図３に示すピンアサインに従って、１９本のピンが形成されている。具体的には、１番ピン２０１、２番ピン２０２、３番ピン２０３、・・・、グランドレベルの１７番ピン２１７、テレビ受像機２の電源回路で生成された＋５Vの電源電圧を出力する１８番ピン２１８、１９番ピン２１９、が形成されている。
【００２２】
図４は、本発明の実施形態であるHDMIケーブルの入力コネクタの拡大図である。入力コネクタ１００の先端は、めっき処理されたシールド枠１３２と、射出成形されたモールド部材１３１と、で構成される。モールド部材１３１は、その中央に、ピンを配列するための孔部が形成されるよう成形されている。ここで、入力コネクタ１００のピン配列は、テレビ受像機２で生成される＋５の電源電圧をHDMIポート２００から入力するための第一の電源電圧ピン１１８と、グランドレベルの第一のグランドピン１１７と、の２つのピンだけで構成されている。
【００２３】
そのため、ユーザが入力コネクタ１００をHDMIポート２００に接続した場合、第一の電源電圧ピン１１８がHDMIポート２００の１８番ピン２１８に接触し、第一のグランドピン１１７がHDMIポート２００の１７番ピン２１７に接触する。そのため、ユーザが出力コネクタ３００を携帯電話３の充電用差込口３Aに接続した場合、出力コネクタ３００が第一の電源電圧ピン１１８と第一のグランドピン１１７とで＋５の電源電圧を携帯電話３に出力する。
【００２４】
よって、この実施形態においてユーザは、携帯電話３をテレビ受像機２のHDMIポート２００に接続した状態で、テレビ受像機２のHDMIポート２００から出力される＋５の電源電圧で携帯電話３のバッテリを充電することができる。さらに、この実施形態における入力コネクタ１００は、充電に必要なピンしか設けておらず、ピン数を必要最小限にしている。従って、HDMIケーブル１の製造コストを低くすることができる。
【００２５】
なお、この実施形態では、携帯電話３用として出力コネクタ３００を設けているが、実施の際は、携帯型ゲーム機等用のDCジャック４００を出力コネクタ３００の代わりに設け、携帯型ゲーム機等をDCジャック４００に接続し、充電させても構わない。
【００２６】
また、図４に示すピン配列を有する入力コネクタ１００をHDMIポート２００に接続した場合、第一の電源電圧ピン１１８と第一のグランドピン１１７との２つのピンだけでは、接続部分の固定が不安定になるおそれがある。そこで、シールド枠１３２の先端の外周形状が線対称となる中心線１３０を軸として、第一の電源電圧ピン１１８と線対称の位置に第一の突出部材１０２と、第一のグランドピン１１７と線対称の位置に第二の突出部材１０３と、を入力コネクタ１００に設けても構わない。第一の突出部材１０２及び第二の突出部材１０３は、例えば絶縁部材で構成される。第一の突出部材１０２は第一の電源電圧ピン１１８と同形状であり、第二の突出部材１０３は第一のグランドピン１１７と同形状である。そのため、ユーザが入力コネクタ１００をHDMIポート２００に接続した場合、第一の電源電圧ピン１１８が１８番ピン２１８に接触し、第一のグランドピン１１７が１７番ピン２１７に接触し、第一の突出部材１０２が２番ピン２０２に接触し、第二の突出部材１０３が３番ピン２０３に接触する。これにより、第一の電源電圧ピン１１８又は第一のグランドピン１１７に加わる力と、第一の突出部材１０２又は第二の突出部材１０３に加わる力とが均等になる。従って、接続部分の固定が安定する。
【００２７】
以下、本発明の他の実施形態であるHDMIケーブルについて説明する。
【００２８】
この他の実施形態では、出力コネクタ３００が＋５V以外の電源電圧も出力できるよう、図２、図４に示すHDMIポート２００と入力コネクタ１００を図５、図６に示すHDMIポート２５０と入力コネクタ１５０に変えている。その他の構成は、上記実施形態（図１、図２、図４参照）と同じである。具体的には、以下のように構成している。
図５は、本発明の他の実施形態であるHDMIケーブルと接続するテレビ受像機のHDMIポートの拡大図である。図６は、本発明の他の実施形態であるHDMIケーブルの入力コネクタの拡大図である。
【００２９】
図５に示すように、HDMIポート２５０先端は、複数のピン２０１〜２１９と、複数のピン２０１〜２１９を囲む長方形のシールド枠２５１と、で構成される。
【００３０】
図６に示すように、入力コネクタ１５０の先端は、めっき処理された長方形のシールド枠１６２と、射出成形された長方形のモールド部材１６１と、で構成される。モールド部材１６１は、その中央に、ピンを配列するための孔部が形成されるよう成形されている。ここで、入力コネクタ１５０のピン配列は、テレビ受像機５２で生成される＋５の電源電圧をHDMIポート２００から入力するための第一の電源電圧ピン１１８と、グランドレベルの第一のグランドピン１１７と、中心点１８０を中心として第一の電源電圧ピン１１８と点対称の位置に設けられた第二の電源電圧ピン１５３と、中心点１８０を中心として第一のグランドピン１１７と点対称の位置に設けられた第二のグランドピン１５２と、の４つのピンだけで構成されている。ここで、中心点１８０は、シールド枠１６２の先端の外周形状（この実施形態では長方形）の中心である。
【００３１】
さらに、入力コネクタ１５０は、入力コネクタ１５０の表裏を反転させてHDMIポート２５０に接続した状態で、第二の電源電圧ピン１５３から入力する＋５Vの電源電圧を所定の電源電圧に降圧または昇圧する電圧変換回路１５５を内蔵する。所定の電源電圧は、例えば＋９V、＋３Vであり、出力コネクタ３００に接続する外部装置の種類に応じて予め調整する。この実施形態では＋３Vに調整されているものとする。電圧変換回路１５５は、例えばDC−DCコンバータで構成され、ピン１５２、１５３と接続する。
【００３２】
この構成において、ユーザが入力コネクタ１５０をHDMIポート２５０に接続した場合（図６（A）参照）、第一の電源電圧ピン１１８がHDMIポート２５０の１８番ピン２１８に接触し、第一のグランドピン１１７がHDMIポート２５０の１７番ピン２１７に接触する。そのため、ユーザが出力コネクタ３００を携帯電話３の充電用差込口３Aに接続した場合、第一の電源電圧ピン１１８と第一のグランドピン１１７とで＋５の電源電圧を出力コネクタ３００が携帯電話３に出力する。
【００３３】
一方、ユーザが入力コネクタ１５０を表裏逆さにしてHDMIポート２５０に接続した場合（図６（B）参照）、第二の電源電圧ピン１５３がHDMIポート２５０の１８番ピン２１８に接触し、第二のグランドピン１５２がHDMIポート２５０の１７番ピン２１７に接触する。そのため、ユーザが出力コネクタ３００を携帯電話３の充電用差込口３Aに接続した場合、第二の電源電圧ピン１５３と第二のグランドピン１５２とで＋３Vの電源電圧を出力コネクタ３００が携帯電話３に出力する。
【００３４】
よって、この実施形態においてユーザは、携帯電話３をテレビ受像機５２のHDMIポート２５０に接続した状態で、テレビ受像機５２のHDMIポート２５０から出力される＋５Vまたは＋３Vの電源電圧で携帯電話３のバッテリを充電することができる。さらに、この実施形態における入力コネクタ１５０は、充電に必要なピンしか設けておらず、ピン数を必要最小限にしている。従って、HDMIケーブル５１の製造コストを低くすることができる。
【００３５】
なお、出力コネクタ３００から出力される電源電圧の値をユーザが接続時に確認できるよう、図６（A）（B）に示すように電源電圧の値（この実施形態では＋５Vと＋３V）を入力コネクタ１５０の表面と裏面に表示するのが好ましい。
また、この実施形態においても、実施の際、携帯型ゲーム機等用のDCジャック４００を出力コネクタ３００の代わりに設けても構わない。
【符号の説明】
【００３６】
１…HDMIケーブル
２…テレビ受像機
３…携帯電話
３A…充電用差込口
５１…HDMIケーブル
５２…テレビ受像機
１００…入力コネクタ
１０２、１０３…突出部材
１３１…モールド部材
１３２…シールド枠
１５０…入力コネクタ
１５３…電源電圧ピン
１５５…電圧変換回路
１６１…モールド部材
１６２…シールド枠
２００…HDMIポート
２５０…HDMIポート
２５１…シールド枠
３００…出力コネクタ
４００…ジャック
５００…ケーブル
【図２】
2010287473.tif 000003
【図３】
2010287473.tif 000004
【図４】
2010287473.tif 000005
【図５】
2010287473.tif 000006
【図６】
2010287473.tif 000007
【図１】
2010287473.tif 000008